(57)【特許請求の範囲】
【請求項１】
生成液内で超音波振動子を作動させて超音波ミストを生成する超音波ミスト発生装置と、
生成液を加熱して加熱ミストを生成する加熱ミスト発生装置と、
前記超音波ミストと加熱ミストを混合した混合ミストを生成する混合領域と
を備えたミスト発生装置において、
前記超音波ミスト発生装置と前記加熱ミスト発生装置とを収容する一つの容器を設け、
前記容器の底部に、上方に開口されて前記生成液を貯留する一つの貯留槽を配設し、
前記貯留槽に、前記超音波ミスト発生装置と前記加熱ミスト発生装置とを形成し、
前記一つの容器内において、前記貯留槽の上方位置に前記混合領域を設け、
前記混合領域で生成された前記混合ミストを、前記一つの容器に設けた放出口から放出することを特徴とするミスト発生装置。
【請求項２】
請求項１に記載のミスト発生装置において、
前記容器に、該容器内の混合ミストを放出口から前記容器外に案内する送風手段を備えたことを特徴とするミスト発生装置。
【請求項３】
請求項１又は２に記載のミスト発生装置において、
前記一つの貯留槽の一方に前記超音波振動子を設け、前記一つの貯留槽の他方に前記生成液を加熱するヒーターを備えたことを特徴とするミスト発生装置。
【発明の詳細な説明】
【技術分野】
【０００１】
この発明は、顔等の肌面にミストを供給してスキンケアを行うミスト発生装置に関するものである。
【背景技術】
【０００２】
ミスト発生装置の一種類として、スチームミストと静電霧化ミストとを放出して肌面に供給することにより、潤いのある肌面を生成するようにしたものがある。
特許文献１には、スチームミスト（大径ミスト）と静電霧化ミスト（小径ミスト）を発生させるミスト発生装置が開示されている。
【先行技術文献】
【特許文献】
【０００３】
【特許文献１】特開２０１０−１７２９３号公報
【発明の概要】
【発明が解決しようとする課題】
【０００４】
特許文献１に開示されるミスト発生装置では、スチームミストと静電霧化ミストが異なる生成手段で生成されるとともに、異なる放出口から放出されている。従って、温熱効果のあるスチームミストと保水効果に優れた静電霧化ミストとを混合した状態で肌面に供給することができないので、充分なスキンケア効果を得ることができない。
【０００５】
この発明の目的は、肌面の近くで滞留する温熱ミストを生成することにより、スキンケア効果を向上させ得るミスト発生装置を提供することにある。
【課題を解決するための手段】
【０００６】
上記課題を解決するために、本発明のミスト発生装置は、生成液内で超音波振動子を作動させて超音波ミストを生成する超音波ミスト発生装置と、生成液を加熱して加熱ミストを生成する加熱ミスト発生装置と、前記超音波ミストと加熱ミストを混合した混合ミストを生成する混合領域とを備え、前記超音波ミスト発生装置と前記加熱ミスト発生装置とを収容する一つの容器を設け、前記容器の底部に、上方に開口されて前記生成液を貯留する一つの貯留槽を配設し、前記貯留槽に、前記超音波ミスト発生装置と前記加熱ミスト発生装置とを形成し、前記一つの容器内において、前記貯留槽の上方位置に前記混合領域を設け、前記混合領域で生成された前記混合ミストを、前記一つの容器に設けた放出口から放出することを特徴とする。
【０００９】
また、上記構成において、前記容器に、該容器内の混合ミストを放出口から前記容器外に案内する送風手段を備えることが好ましい。
【００１０】
また、上記構成において、前記一つの貯留槽の一方に前記超音波振動子を設け、前記一つの貯留槽の他方に前記生成液を加熱するヒーターを備えることが好ましい。
【発明の効果】
【００１１】
本発明によれば、肌面の近くで滞留する温熱ミストを生成することにより、スキンケア効果を向上させ得るミスト発生装置を提供することができる。
【図面の簡単な説明】
【００１２】
【図１】第一の実施形態のミスト発生装置を示す概略図である。
【図２】第二の実施形態のミスト発生装置を示す概略図である。
【図３】第三の実施形態のミスト発生装置を示す概略図である。
【図４】第四の実施形態のミスト発生装置を示す概略図である。
【図５】第五の実施形態のミスト発生装置を示す概略図である。
【発明を実施するための形態】
【００１３】
（第一の実施形態）
以下、この発明を具体化した第一の実施形態を図面に従って説明する。図１に示すミスト発生装置は、ケース１内に超音波ミスト発生装置２と、加熱ミスト発生装置３が収容されている。
【００１４】
超音波ミスト発生装置２は、容器４内の底部に上方へ開口された貯留槽５が配設され、その貯留槽５内に超音波ミストを生成するための生成液６が貯留されている。生成液６は、水あるいはスキンケアに適した溶液である。
【００１５】
前記貯留槽５内の底部には超音波振動子７が配設され、制御部(図示しない)の動作に基づいて超音波に相当する周波数で振動する。そして、超音波振動子７が振動すると、生成液６の水面が隆起し、その隆起面で微細な超音波ミストＭ１が生成されるとともに、生成された超音波ミストＭ１は、前記容器４の上端部に形成された放出口８から前記ケース１外に向かって斜め上方へ放出される。
【００１６】
前記加熱ミスト発生装置３は、超音波ミスト発生装置２と同様に、容器９内の底部に上方へ開口された貯留槽１０が配設され、その貯留槽１０内に加熱ミストを生成するための生成液１１が貯留されている。生成液１１は、超音波ミストＭ１を生成するための生成液６と同様な溶液である。
【００１７】
前記貯留槽１０の外周面にはヒーター１２が取着されている。そして、貯留槽１０内の生成液１１が加熱されてスチームミスト（加熱ミスト）Ｍ２が生成されるとともに、生成されたスチームミストＭ２は、前記容器９の上端部に形成された放出口１３から前記ケース１外に向かって斜め上方へ放出される。
【００１８】
前記放出口８，１３は隣接して配設されるとともに、その開口方向は放出口８，１３の中心線が放出口８，１３の上方で交わるように設定されている。
次に、上記のように構成されたミスト発生装置の作用を説明する。
【００１９】
容器４内では、超音波振動子７の振動に基づいて生成液６から超音波ミストＭ１が生成されるとともに、その超音波ミストＭ１は放出口８から上方へ放出されて、例えば１０μｍ程度の粒径で放出口８の上方で滞留する。
【００２０】
容器９内では、ヒーター１２で生成液１１が加熱されてスチームミストＭ２が生成されるとともに、そのスチームミストＭ２が放出口１３から上方へ放出される。放出口８，１３の上方では、滞留する超音波ミストＭ１を核としてスチームミストＭ２が結露して例えば粒径１０μｍ程度の混合ミストＭ３が生成され、放出口８，１３の上方で滞留する状態となる。
【００２１】
従って、放出口８，１３の上方位置が混合ミストＭ３を生成する混合領域Ａ１となり、放出口８，１３の上方位置に肌面をさらすと、混合ミストＭ３により肌面に対し温熱作用と保水作用が得られる。
【００２２】
上記のようなミスト発生装置では、次に示す効果を得ることができる。
（１）超音波ミストＭ１とスチームミストＭ２を混合した混合ミストＭ３を混合領域Ａ１で生成することができる。従って、混合ミストＭ３で肌面に対し温熱効果と保水効果を同時に作用させることができる。
（２）混合領域Ａ１で超音波ミストＭ１とスチームミストＭ２を混合することができる。従って、滞留性の低いスチームミストＭ２を超音波ミストＭ１と混合することにより、温熱効果と保水効果を備えた混合ミストＭ３を混合領域Ａ１に滞留させることができる。
（３）放出口８，１３の開口方向を、放出口８，１３の中心線が放出口８，１３の上方で交わる方向としたので、放出口８，１３の上方を混合領域Ａ１とすることができる。
（第二の実施形態）
図２は、ミスト発生装置の第二の実施形態を示す。この実施形態は、ケース１内に超音波ミストとスチームミストとを混合する混合領域を備えたものである。前記第一の実施形態と同一構成部分は同一符号を付して説明する。
【００２３】
超音波ミスト発生装置２を収容する容器４と、加熱ミスト発生装置３を収容する容器９がケース１内で上方に開口され、ケース１の上端部に一つの放出口２１が成されている。その他の構成は、第一の実施形態と同様である。
【００２４】
このような構成により、ケース１内の上部が混合領域Ａ２となり、この混合領域Ａ２で超音波ミストＭ１とスチームミストＭ２を混合した混合ミストＭ３が生成される。そして、混合ミストＭ３が混合領域Ａ２から放出口２１を経て上方へ放出され、放出口２１の上方で滞留する。
【００２５】
上記のようなミスト発生装置では、次に示す効果を得ることができる。
（１）超音波ミストＭ１とスチームミストＭ２を混合した混合ミストＭ３を混合領域Ａ２で生成し、放出口２１の上方に滞留させることができる。従って、混合ミストＭ３で肌面に対し温熱効果と保水効果を同時に作用させることができる。
（２）混合領域Ａ２で超音波ミストＭ１とスチームミストＭ２を混合することができる。従って、滞留性の低いスチームミストＭ２を超音波ミストＭ１と混合することにより、温熱効果と保水効果を備えた混合ミストＭ３を放出口２１の上方に滞留させることができる。
（第三の実施形態）
図３は、ミスト発生装置の第三の実施形態を示す。この実施形態は、ケース内の一つの容器の共通の貯留槽に超音波ミスト発生装置と加熱ミスト発生装置を形成したものである。第一の実施形態と同一構成部分は、同一符号を付して説明する。
【００２６】
ケース内には一つの容器２５の底部に一つの貯留槽２６が配設され、その貯留槽２６に生成液２７が貯留されている。貯留槽２６の底部には超音波振動子７が配設され、その振動により貯留槽２６上に超音波ミストＭ１が生成される。
【００２７】
前記貯留槽２６の外周面にはヒーター１２が取着されている。そして、ヒーター１２の動作により貯留槽２６内の生成液２７が加熱されてスチームミストＭ２が生成される。
超音波ミストＭ１とスチームミストＭ２は、容器２５内で混合されて混合ミストＭ３が生成される。従って、容器２５内において貯留槽２６の上方位置が超音波ミストＭ１とスチームミストＭ２の混合領域Ａ３となる。前記容器２５の上端部には、上方に開口する一つの放出口２８が形成されている。
【００２８】
このように構成されたミスト発生装置では、容器２５内の混合領域Ａ３で混合された混合ミストＭ３が混合領域Ａ３から放出口２８を経て上方へ放出され、放出口２８の上方で滞留する。
【００２９】
上記のようなミスト発生装置では、次に示す効果を得ることができる。
（１）超音波ミストＭ１とスチームミストＭ２を混合した混合ミストＭ３を容器２５内の混合領域Ａ３で生成し、放出口２８の上方に滞留させることができる。従って、混合ミストＭ３で肌面に対し温熱効果と保水効果を同時に作用させることができる。
（２）混合領域Ａ３で超音波ミストＭ１とスチームミストＭ２を混合することができる。従って、滞留性の低いスチームミストＭ２を超音波ミストＭ１と混合することにより、温熱効果と保水効果を備えた混合ミストＭ３を放出口２８の上方に滞留させることができる。
（３）超音波ミストＭ１とスチームミストＭ２を共通の容器２５内で生成することができるので、ケース１を小型化することができる。
（第四の実施形態）
図４は、第四の実施形態を示す。この実施形態は、第三の実施形態の容器２５に送風手段を備えたものである。第三の実施形態と同一構成部分は同一符号を付して説明する。
【００３０】
図４に示すように、容器２５の一側には下方へ開口する開口部３１が設けられ、その開口部３１には送風用ファン３２が支持されている。そして、送風用ファン３２が作動すると、容器２５外から容器２５内に送風され、その風により、容器２５内で生成された混合ミストＭ３が放出口２８から放出される。上記以外の構成は、第三の実施形態と同様である。
【００３１】
前記送風用ファン３２の風力は、混合ミストＭ３を放出口２８の上方に滞留させ得る程度の微風である。
このようなミスト発生装置では、容器２５内で生成された混合ミストＭ３が送風用ファン３２で放出口２８から放出されて、放出口２８の上方に滞留する。
【００３２】
上記のようなミスト発生装置では、第三の実施形態で得られた効果に加えて、次に示す効果を得ることができる。
（１）送風用ファン３２により、容器２５内で生成された混合ミストＭ３を放出口２８に速やかに案内して、放出口２８の上方に滞留させることができる。
（第五の実施形態）
図５は、第五の実施形態を示す。この実施形態は、前記第四の実施形態のヒーターの取付位置を変更したものである。第四の実施形態と同一構成部分は、同一符号を付して説明する。
【００３３】
図５に示すように、容器２５の一方の側面、すなわち前記超音波振動子７の取付位置から遠くに位置する側面と、その側面近傍の底面にヒーター３５が取着されている。その他の構成は第四の実施形態と同様である。
【００３４】
このようなミスト発生装置では、ヒーター３５で生成液２７が加熱されて沸騰し、液面がゆれるが、そのゆれはヒーター３５が取着されている側の容器２５の一側で発生する。従って、超音波振動子７の振動により液面が隆起する部分では、沸騰による液面のゆれが抑えられるので、超音波ミストＭ１の生成に支障を来たすことはない。
【００３５】
上記のようなミスト発生装置では、第四の実施形態で得られた効果に加えて、次に示す効果を得ることができる。
（１）超音波振動子７の振動により超音波ミストＭ１を発生させる位置では、生成液２７の沸騰による液面のゆれを抑制することができるので、共通の容器２５で超音波ミストＭ１とスチームミストＭ２を生成しながら、超音波ミストＭ１を効率よく生成することができる。
【００３６】
上記実施形態は、以下の態様で実施してもよい。
・スチームミストに代えて、超音波ミストを加熱して加熱ミストとしてもよい。例えば第一の実施形態なおいて、容器９内で超音波ミストを生成し、放出口１３の近傍に設けたヒーターでその超音波ミストを加熱して放出してもよい。
・第五の実施形態において、送風用ファン３２を省略してもよい。
【符号の説明】
【００３７】
１…ケース、２…超音波ミスト発生装置、３…加熱ミスト発生装置、４…第一の容器、８…第一の放出口、９…第二の容器、１２…ヒーター、１３…第二の放出口、２１，２８…放出口、２５…容器、３２…送風手段（送風用ファン）、Ｍ１…超音波ミスト、Ｍ２…加熱ミスト（スチームミスト）、Ａ１〜Ａ３…混合領域。
【図１】
0005280476.tif 000002
【図２】
0005280476.tif 000003
【図３】
0005280476.tif 000004
【図４】
0005280476.tif 000005
【図５】
0005280476.tif 000006